(57)【要約】【課題】  古新聞紙や古雑誌等の紙製品、あるいは木材やプラスチック等のプレート状製品を、複数枚結束紐で子供や女子でも、簡単、且つ強固に結束して、整理、保管、あるいは廃棄処分することができる。【解決手段】ゴムあるいは軟質合成樹脂等の軟質材により形成された軟質プレート１１の中心点Ｏより４方向直角放射状位置の外方端部分に、結束紐１２を貫通する小孔１３をそれぞれ穿設すると共に、前記軟質プレート１１の前記４方向直角放射状位置の端縁部１１ａから前記各小孔１３に達するスリット１４をそれぞれ設けて形成する。【選択図】図７
2011121605.tif 000002
【特許請求の範囲】
【請求項１】
軟質プレートの中心点より、４方向直角放射状位置の外方端部分に結束紐を貫通する小孔をそれぞれ穿設すると共に、前記軟質プレートの前記４方向直角放射状位置の端縁部から前記各小孔に達するスリットをそれぞれ設けたことを特徴とする結束補助具。
【発明の詳細な説明】
【技術分野】
【０００１】
本発明は、古新聞紙、古雑誌やダンボール等の紙製品、あるいは木材やプラスチックボード等のプレート状製品を複数枚束ねて結束紐で簡単に緊縛して、整理、保管、あるいは廃棄処分することができる結束補助具に関するものである。
【背景技術】
【０００２】
従来、例えば、古新聞紙や古雑誌等の紙製品、あるいは木材やプラスチックボード等のプレート状製品を複数枚束ねて整理、保管、あるいは廃棄処分する場合、ナイロンやポリプロピレンあるいは糸製の結束紐を使用して十文字に結束しているが、特に力のない子供や女性は、固く結束することが難しく、結束紐が緩んでしまい、結束したものが崩れてしまうという課題があった。
【０００３】
一方、古新聞や古雑誌等の紙製品を結束紐で簡単に結束することのできる結束具につき、過去の特許文献を遡及検索したところ、下記の特許文献１に開示されたものが公知である。
【先行技術文献】
【特許文献】
【０００４】
【特許文献１】特許第４１８０００６号公報
【発明の概要】
【発明が解決しようとする課題】
【０００５】
前記特許文献１に記載された「結束具」は、結束された古新聞紙、古雑誌等の紙製品を再生処理する際、または焼却処理する際、結束具が樹脂成型品である場合は、この結束具を取外す必要があるので、その手間を省くため、結束具を厚紙製としたものであるが、該結束具は結束した後取外すことなく、再生処理または焼却処分することになるので、１回だけしか使用できず、不経済であるという課題があった。
【０００６】
本発明は、前記従来の課題を解決すべくなされたものであって、古新聞紙や古雑誌等の紙製品、あるいは木材やプラスチック等のプレート状製品を、子供や女子でも極めて簡単、且つ確実に強固に結束することができると共に、結束後は結束状態から自動的に、または手で引っ張って取外すことにより離脱するので、何度でも使用することができる結束補助具を提供しようとするものである。
【課題を解決するための手段】
【０００７】
本発明は、軟質プレートの中心点より４方向直角放射状位置の外方端部分に、結束紐を貫通する小孔をそれぞれ穿設すると共に、前記軟質プレートの前記４方向直角放射状位置の端縁部から前記各小孔に達するスリットをそれぞれ設けるという手段を採用することにより、上記課題を解決した。
【発明の効果】
【０００８】
前記構成より成る本発明によれば、その構造が極めて簡単で、安価に製造できると共に、その使用方法も極めて単純であるため、力のない子供や女子でも容易に使用して、確実、且強固に被結束物を結束でき、然も古新聞紙等を結束した後は、本発明結束補助具が前記被結束物より自動的に、または手で引っ張って取外すことにより簡単に離脱するので、何度でも使用でき、経済的であるという効果を奏する。また、本発明結束補助具は、古新聞紙や古雑誌等の紙製品の外、木材やプラスチック板等のプレート状製品にも使用することができる。
【図面の簡単な説明】
【０００９】
【図１】本発明結束補助具の斜視図である。
【図２】同使用状態を示す表面図である。
【図３】同使用状態を示す表面図である。
【図４】同使用状態を示す表面図である。
【図５】同使用状態を示す表面図である。
【図６】同使用状態を示す表面図である。
【図７】同使用状態を示す表面図である。
【図８】同使用状態を示す裏面図である。
【図９】同使用状態を示す裏面図である。
【図１０】同使用状態を示す裏面図である。
【図１１】本発明結束補助具を用い古新聞紙を結束紐で縛り付けた状態を示す全体の斜視図である。
【実施例】
【００１０】
本発明結束補助具は、可撓性を有し、且つ摩擦係数の大なる素材であるゴムやポリエチレン等の軟質合成樹脂等の軟質材より成る軟質プレート１１により形成され、且つ該軟質プレート１１の形状は、特に限定する必要はないが、十字状、円形状あるいは方形状等、任意の形状に形成され、またその大きさも、被結束物より小さく形成すればよく、特に限定する必要はないが、例えば古新聞紙や古雑誌を結束する場合、２００ｍｍ巾程度のものを使用することが推奨される。
【００１１】
前記したように、本発明結束補助具に使用する軟質プレート１１の形状は、任意であるが、説明の都合上、図１に示す十字形状のものとして説明する。
【００１２】
図１に示すように、本発明結束補助具を形成する十字形状の軟質プレート１１の中心点Ｏより４方向放射状位置の外方端部分には、ビニールやポリプロピレン等より成る結束紐１２を貫通する小孔１３をそれぞれ穿設すると共に、該結束紐１２を前記各小孔１３に貫通させる際のガイドとして、前記軟質プレート１１の端縁部１１ａから、前記小孔１３に達するスリット１４をそれぞれ設けて形成されている。
【００１３】
前記のように軟質プレート１１を形成することにより、端縁部１１ａからスリット１４に結束紐１２を挿入して内側方向へ引っ張ることにより、該結束紐１２が極めて簡単に小孔１３内に挿入されて貫通させることができる。そして、前記軟質プレート１１は、可撓性を有し、且つ摩擦係数の大なる素材により形成されているため、前記小孔１３内に挿入された紐１２は簡単には抜けない。なお、前記軟質プレート１１は、後述する結束方法において、結束紐１２を小孔１３に貫通する順番があるので、その順番を示す番号を図に示すように表示することが好ましい。
【００１４】
本発明結束補助具は、前記番号を表示したものを用いて説明する。先ず、図２に示すように、結束紐１２を番号１部分のスリット１４を介して小孔１３内に、軟質プレート１１の裏側から貫通させた後、前記結束紐１２を遊びをもたせて、その先方側を該軟質プレート１１の上方側から、前記番号１部分のスリット１４と対向する位置にある、番号２部分のスリット１４を介して小孔１３内に貫通させる。
【００１５】
然る後、前記遊びをもたせて、番号２部分の小孔１３内に貫通した結束紐１２を、図３矢印に示すように、引っ張りながら、十字状にクロスさせ(図４)、且つ該クロスさせた結束紐１２の両方側を番号３・３部分の各スリット１４を介して各小孔１３内に表側から裏側へ貫通する（図５）。なお、前記図５において、各小孔１３内に表側から裏側へ貫通された結束紐１２の状態を裏側から見ると図６のようになる。
【００１６】
そして、次に図７で示すように、前記番号３・３部分の各小孔１３に貫通した結束紐１２で大きな円形部１５を表側に形成せしめると共に、該大きく形成された円形部１５内に、矢印で示すように、古新聞紙や古雑誌等の被結束物１６を適宜の厚さになるまで挿入して、該被結束物１６を前記軟質プレート１１上に載置する。
【００１７】
前記被結束物１６を前記軟質プレート１１上に載置した後、図８に示すように該軟質プレート１１の番号１・２部分の各小孔１３内に貫通された側の結束紐１２を左右へ引っ張って行くと、前記軟質シート１１の裏側は図９に示す状態となり、更に結束紐１２を左右へ引っ張り続けると、該結束紐１２は前記番号３・３部分の各小孔１３内に貫通されて、前記円形部１５を形成した結束紐１２が被結束物１６上に圧着して締付けられると同時に、図１０の裏面図に示すように、結束紐１２は前記各小孔１３から徐々に外れると共に、スリット１４からも外れて被結束物６の底部には、クロスされた結束紐２が残るだけの状態となり、前記軟質シート１１は離脱する。なお、前記軟質シート１１が被結束物１６の下面に離脱せず引っ掛っていても、該軟質シート１１を手で引っ張れば簡単に取外すことができる。
【００１８】
その後、図１１に示すように、前記左右の結束紐１２を表側へ引っ張り上げて、他の交差している前記結束紐１２にクロスして締付ければよい。そして、前記被結束物１６を結束した結束紐１２を持って持ち上げると、図１１に示すように、軟質プレート１１は該被結束物１６から離脱し、該軟質プレート１１の再使用が可能である。
【符号の説明】
【００１９】
１１    軟質プレート
１１ａ  端縁部
１２    結束紐
１３    小孔
１４    スリット
１５    円形部
１６    被結束物
【図１】
2011121605.tif 000003
【図２】
2011121605.tif 000004
【図３】
2011121605.tif 000005
【図４】
2011121605.tif 000006
【図５】
2011121605.tif 000007
【図６】
2011121605.tif 000008
【図７】
2011121605.tif 000009
【図８】
2011121605.tif 000010
【図９】
2011121605.tif 000011
【図１０】
2011121605.tif 000012
【図１１】
2011121605.tif 000013